(57)【要約】　　　（修正有）【課題】色合成光学系と投射レンズとの間の光路中に配置した１／４波長位相板を有する投射型表示装置において、前記投射レンズから反射され前記色合成光学系に再入射して各色光用の光路を逆行した光が、色合成光学系の有するダイクロイック膜の偏光方向による光学特性の違いのために前記ダイクロイック膜によって順方向とは異なる色成分に色分解されて、対応する色光と異なる他色光の光路に進行し、当該光が異なる他色光用のライトバルブで反射され、再度前記色合成光を経て投射レンズに入射することによって投射されるゴースト光をなくす。【解決手段】光軸に対して斜めに配置された所定の光学特性を持つダイクロイックミラーを色合成光学系と各色光用の偏光ビームスプリッタの偏光分離面との間の光路中に配置して、ゴースト光になりうる光の成分を反射させて光路外に廃棄する。【選択図】　図１
2004029692.tif 000002
【特許請求の範囲】
【請求項１】
第１色光用と第２色光用にそれぞれ配置した反射型ライトバルブから変調されて射出された各色光をそれぞれの色光毎に配置した偏光ビームスプリッタに入射させて変調光を検光して取り出し、前記各検光光を各々異なる面から内部にダイクロイック膜を有するダイクロイックプリズムに入射させて、第１色光を前記ダイクロイック膜にて反射させ、第２色光を前記ダイクロイック膜を透過させることによって第１色光と第２色光の色合成を行い、当該合成光を１／４波長位相板を経由して投射光学系に入射させて投射する構成を有する投射型表示装置において、
前記第１色光用偏光ビームスプリッタの偏光分離面と色合成用ダイクロイックプリズムとの間の第１色光の光路、及び第２色光用偏光ビームスプリッタの偏光分離面と色合成用ダイクロイックプリズムとの間の第２色光の光路の少なくとも一方の光路中に、
前記投射光学系に入射した合成光のうち当該投射光学系を構成するレンズ部材の表面にて反射されて逆行して進行し、前記１／４波長位相板を経由して前記ダイクロイックプリズムに入射し、当該ダイクロイックプリズム中のダイクロイック膜を反射して前記第１色光光路を進行する第２色光、または当該ダイクロイック膜を透過して第２色光光路を進行する第１色光を、反射して各光路から廃棄するダイクロイック膜を配置することを特徴とする投射型表示装置。
【請求項２】
請求項１に記載の投射型表示装置において、前記各色光用の偏光ビームスプリッタにて検光された光であってダイクロイックプリズムに入射する２つの直線偏光光である第１色光と第２色光の電気ベクトルの振動方向は互いに直交する関係にあることを特徴とする投射型表示装置。
【請求項３】
Ｒ（赤）光用、Ｇ（緑）光用、Ｂ（青）光にそれぞれ配置された反射型ライトバルブと、
前記各色光用のライトバルブから変調されて射出された各色光の変調光を検光して取り出す各色光毎に配置された偏光ビームスプリッタと、
前記各色光用の偏光ビームスプリッタを射出する検光光をそれぞれ異なる面から入射させ、互いに直交するＲ光反射特性を有するダイクロイック膜とＢ光反射特性を有するダイクロイック膜を有し、前記Ｒ光は前記Ｒ光反射ダイクロイック膜にて反射、前記Ｂ光は前記Ｂ光反射ダイクロイック膜にて反射、Ｇ光は両ダイクロイック膜を透過させることにより、各色光を色合成して合成光を射出するクロスダイクロイックプリズムと、
前記合成光を円偏光に変換する１／４波長位相板と、
前記円偏光に変換された合成光を投射する投射光学系と、
を有する投射型表示装置において、
前記各色光用の偏光ビームスプリッタを射出してクロスダイクロイックプリズムに入射するＲ光とＢ光は前記ダイクロイックプリズムの両ダイクロイック膜に対してＳ偏光であり、Ｇ光は前記ダイクロイック膜に対してＰ偏光であり、
さらに、前記各色光用の偏光ビームスプリッタの偏光分離面とクロスダイクロイックプリズム間の各色の光路のうち、少なくとも一つの色光の光路中に、
前記投射光学系に入射した合成光のうち当該投射光学系を構成するレンズ部材の表面にて反射されて逆行して進行し、１／４波長位相板を経てＰ偏光となったＲ光とＢ光及びＳ偏光となったＧ光の混合光であって、前記クロスダイクロイックプリズムに入射して前記２枚のダイクロイック膜に入射して前記両ダイクロイック膜を透過してＧ光の光路を進行するＲ光またはＢ光を、反射させて進行光路から廃棄させるためのダイクロイック膜を配置するか、または、前記両ダイクロイック膜の少なくとも一方に反射されてＲ光またはＢ光の光路を進行するＧ光を、反射させて進行光路から廃棄させるためのダイクロイック膜を配置することを特徴とする投射型表示装置。
【請求項４】
前記各色光用の偏光ビームスプリッタの偏光分離面とクロスダイクロイックプリズム間の各色の光路のうち、少なくとも一つの色光の光路中に配置されるダイクロイック膜は、前記偏光ビームスプリッタとクロスダイクロイックプリズムの間の光路中にあることを特徴とする請求項３に記載の投射型表示装置。
【請求項５】
前記各色光用の偏光ビームスプリッタの偏光分離面とクロスダイクロイックプリズム間の各色の光路のうち、少なくとも一つの色光の光路中に配置されるダイクロイック膜は、前記偏光ビームスプリッタ中に前記偏光分離面と相対して配置されることを特徴とする請求項１または３に記載の投射型表示装置。
【請求項６】
Ｒ（赤）光用反射型ライトバルブから射出したＲ光を偏光ビームスプリッタに入射して変調光を検光し、該Ｒ光検光光を、内部にＲ光反射ダイクロイック膜を有するダイクロイックプリズムに入射して、該Ｒ光検光光を前記Ｒ光反射ダイクロイック膜にて反射させ、１／４波長板を経由して投射光学系に入射させて投射する構成を有する投射型表示装置において、
前記ダイクロイックプリズムに入射する前記Ｒ光検光光は該Ｒ光反射ダイクロイック膜面に対してＳ偏光光であり、さらに前記Ｒ光反射ダイクロイック膜は、前記Ｓ偏光の振動方向と垂直な方向の振動方向を有するＰ偏光光に関してＲ光とＧ光との境界に反射−透過境界波長を有する光学特性であることを特徴とする投射型表示装置。
【発明の詳細な説明】
【０００１】
【発明の属する技術分野】
本発明は、複数の反射型ライトバルブを射出した光を検光して取り出し、当該検光光を色合成して投射光学系にて投射する構成の投射型表示装置に関するものであり、特にその投射光中に発生するゴースト光の投射を防止する方法に関するものである。
【０００２】
【従来の技術】
図１４に記載の投射型表示装置の構成図を用いて従来例の投射型表示装置を説明する。ランプと凹面鏡とから構成される光源１０１から射出されたランダム偏光であって略平行光束の光源光は、偏光変換装置１０２に入射して、光の電気ベクトルの振動方向（以下偏光方向と記載）が紙面に垂直な方向に振動するＳ偏光光に変換されてさらに進行し、Ｂ（青）光反射特性を有するダイクロイックミラー１０３Ｂと、Ｒ（赤）光とＧ（緑）光反射特性を有するダイクロイックミラー１０３ＲＧとを互いに直交するようにＸ型に配置した構成のクロスダイクロイックミラー１０３に入射し、Ｂ光と、Ｒ光とＧ光の混合光とに色分解されて互いに反対方向に進行する。
【０００３】
前記色分解されたＢ光は折り曲げミラー１０４にて反射されて進行方向を変えて進行し、Ｂ光用に配置された偏光ビームスプリッタ１０７Ｂに入射する。一方、前記色分解されたＲ光とＧ光の混合光は折り曲げミラー１０５にて反射されて進行方向を変えて進行し、Ｇ光を反射する特性を有するダイクロイックミラー１０６に入射、反射して進行するＧ光と、透過して進行するＲ光とに色分解される。色分解されたＲ光と、Ｇ光は各色用にそれぞれ配置された偏光ビームスプリッタ１０７Ｒ、同１０７Ｇに入射する。
【０００４】
各色光偏光ビームスプリッタに入射した各色光はどれもＳ偏光光であるので、実質的に図示のように紙面に垂直に構成された偏光分離面にて反射されて進行し、各色光用に配置された反射型ライトバルブ１０８Ｂ、同１０８Ｒ、同１０８Ｇに入射する。
【０００５】
各色光用のライトバルブに入射した各色光は、色信号によって変調作用を受けてライトバルブから反射、射出されて再度各色光用の偏光ビームスプリッタに入射し、偏光分離面を透過する変調光（Ｐ偏光光）を検光して取り出す。非変調光（Ｓ偏光）は偏光分離面にて反射されて、光源方向に廃棄される。
【０００６】
前記各色光の検光光のうちＢ光とＲ光は、それぞれ１／２波長位相板１０９、同１１０を経てＳ偏光光に変換されて色合成光学系を構成するクロスダイクロイックプリズム１１１にそれぞれ相対した、異なる入射面から入射する。前記Ｇ光の検光光はＰ偏光のままクロスダイクロイックプリズム１１１に入射する。
【０００７】
色合成光学系を構成するクロスダイクロイックプリズム１１１は内部にＲ光を反射する特性を有するクロスダイクロイック膜１１１ＲとＢ光を反射する特性を有するダイクロイック膜１１１Ｂが互いに直交するようにＸ型に配置した複合プリズムであり、当該プリズムに入射したＢ光は前記Ｂ光反射ダイクロイック膜１１１Ｂにて反射、前記当該プリズムに入射したＲ光は前記Ｒ光反射ダイクロイック膜１１１Ｒにて反射、前記当該プリズムに入射したＧ光は前記Ｂ光反射ダイクロイック膜１１１ＢとＲ光反射ダイクロイック膜１１１Ｒを透過して、Ｂ光、Ｒ光、Ｇ光の色合成が達成されてクロスダイクロイックプリズム１１１を射出する。
【０００８】
ここで、クロスダイクロイックプリズム１１１への入射光を、Ｒ光とＢ光はＳ偏光、Ｇ光をＰ偏光とするのは前記ダイクロイック膜１１１Ｒ、１１１Ｂの光学特性により入射光の合成光へ寄与できる光量の損失を少なくして、投射像の輝度を向上させるためである。
【０００９】
前記クロスダイクロイックプリズム１１１を射出したＲＧＢ合成光は１／４波長位相板１１２を経て各色光とも円偏光に変換されて進行し、投射光学系１１３に入射して図示しないスクリーン上に投射される。
【００１０】
前記クロスダイクロイックプリズム１１１と投射光学系１１３の間に配置した１／４波長位相板１１２は本出願人による出願の特開平９−２５１１５０に記載のように前記投射光学系を構成するレンズを反射した光がゴースト光として投射されるのを防ぐ目的で配置される。即ち、投射光学系１１３に入射した投射光のうち、当該投射光学系を構成する複数のレンズ部材の表面で反射された光は逆行して再度１／４波長位相板を透過することによって、前記光のうち、Ｒ光、Ｂ光の円偏光はＰ偏光に、Ｇ光成分の円偏光はＳ偏光に変換される。前記各偏光光はクロスダイクロイックプリズム１１１に入射して当該プリズムにて色分解され、Ｇ光はＳ偏光のまま、前記Ｒ光とＢ光は１／２位相板１１０、１０９にてＳ偏光に変換されて、各色光用の偏光ビームスプリッタに入射、偏光分離面にて反射されて光軸上から廃棄される。
【００１１】
【特許文献１】特開２０００−３３０１９６
【００１２】
【発明が解決しようとする課題】
しかし、従来例にて記載の投射型表示装置においては、クロスダイクロイックプリズムと投射光学系の間にゴースト光投射を防止する１／４波長位相板を配置したにも拘わらずゴースト光が発生して投射されてしまうことが判明した。
【００１３】
本発明は、上記課題に記載のゴースト光を防止することをその目的とするものである。
【００１４】
【課題を解決するための手段】
本発明の第１の投射型表示装置の態様は、第１色光用と第２色光用にそれぞれ配置した反射型ライトバルブから変調されて射出された各色光をそれぞれの色光毎に配置した偏光ビームスプリッタに入射させて変調光を検光して取り出し、前記各検光光を各々異なる面から内部にダイクロイック膜を有するダイクロイックプリズムに入射させて、第１色光を前記ダイクロイック膜にて反射させ、第２色光を前記ダイクロイック膜を透過させることによって第１色光と第２色光の色合成を行い、当該合成光を１／４波長位相板を経由して投射光学系に入射させて投射する構成を有する投射型表示装置において、前記第１色光用偏光ビームスプリッタの偏光分離面と色合成用ダイクロイックプリズムとの間の第１色光の光路、及び第２色光用偏光ビームスプリッタの偏光分離面と色合成用ダイクロイックプリズムとの間の第２色光の光路の少なくとも一方の光路中に、前記投射光学系に入射した合成光のうち当該投射光学系を構成するレンズ部材の表面にて反射されて逆行して進行し、前記１／４波長位相板を経由して前記ダイクロイックプリズムに入射し、当該ダイクロイックプリズム中のダイクロイック膜を反射して前記第１色光光路を進行する第２色光、または当該ダイクロイック膜を透過して第２色光光路を進行する第１色光を、反射して各光路から廃棄するダイクロイック膜を配置することを特徴とする。
【００１５】
本発明の第２の投射型表示装置の態様は、第１の様態において、前記各色光用の偏光ビームスプリッタにて検光された光であってダイクロイックプリズムに入射する２つの直線偏光光である第１色光と第２色光の電気ベクトルの振動方向は互いに直交する関係にあることを特徴とする。
【００１６】
本発明の第３の投射型表示装置の態様は、Ｒ（赤）光用、Ｇ（緑）光用、Ｂ（青）光にそれぞれ配置された反射型ライトバルブと、前記各色光用のライトバルブから変調されて射出された各色光の変調光を検光して取り出す各色光毎に配置された偏光ビームスプリッタと、前記各色光用の偏光ビームスプリッタを射出する検光光をそれぞれ異なる面から入射させ、互いに直交するＲ光反射特性を有するダイクロイック膜とＢ光反射特性を有するダイクロイック膜を有し、前記Ｒ光は前記Ｒ光反射ダイクロイック膜にて反射、前記Ｂ光は前記Ｂ光反射ダイクロイック膜にて反射、Ｇ光は両ダイクロイック膜を透過させることにより、各色光を色合成して合成光を射出するクロスダイクロイックプリズムと、前記合成光を円偏光に変換する１／４波長位相板と、前記円偏光に変換された合成光を投射する投射光学系とを有する投射型表示装置において、前記各色光用の偏光ビームスプリッタを射出してクロスダイクロイックプリズムに入射するＲ光とＢ光は前記ダイクロイックプリズムの両ダイクロイック膜に対してＳ偏光であり、Ｇ光は前記ダイクロイック膜に対してＰ偏光であり、さらに、前記各色光用の偏光ビームスプリッタの偏光分離面とクロスダイクロイックプリズム間の各色の光路のうち、少なくとも一つの色光の光路中に、前記投射光学系に入射した合成光のうち当該投射光学系を構成するレンズ部材の表面にて反射されて逆行して進行し、１／４波長位相板を経てＰ偏光となったＲ光とＢ光及びＳ偏光となったＧ光の混合光であって、前記クロスダイクロイックプリズムに入射して前記２枚のダイクロイック膜に入射して前記両ダイクロイック膜を透過してＧ光の光路を進行するＲ光またはＢ光を、反射させて進行光路から廃棄させるためのダイクロイック膜を配置するか、または、前記両ダイクロイック膜の少なくとも一方に反射されてＲ光またはＢ光の光路を進行するＧ光を、反射させて進行光路から廃棄させるためのダイクロイック膜を配置することを特徴とする。
【００１７】
本発明の第４の投射型表示装置の態様は、第３の様態において、前記各色光用の偏光ビームスプリッタの偏光分離面とクロスダイクロイックプリズム間の各色の光路のうち、少なくとも一つの色光の光路中に配置されるダイクロイック膜は、前記偏光ビームスプリッタとクロスダイクロイックプリズムの間の光路中にあることを特徴とする。
【００１８】
本発明の第５の投射型表示装置の態様は、第１の様態または第３の様態において、前記各色光用の偏光ビームスプリッタの偏光分離面とクロスダイクロイックプリズム間の各色の光路のうち、少なくとも一つの色光の光路中に配置されるダイクロイック膜は、前記偏光ビームスプリッタ中に前記偏光分離面と相対して配置されることを特徴とする。
【００１９】
本発明の第６の投射型表示装置の様態は、Ｒ（赤）光用反射型ライトバルブから射出したＲ光を偏光ビームスプリッタに入射して変調光を検光し、該Ｒ光検光光を、内部にＲ光反射ダイクロイック膜を有するダイクロイックプリズムに入射して、該Ｒ光検光光を前記Ｒ光反射ダイクロイック膜にて反射させ、１／４波長板を経由して投射光学系に入射させて投射する構成を有する投射型表示装置において、前記ダイクロイックプリズムに入射する前記Ｒ光検光光は該Ｒ光反射ダイクロイック膜面に対してＳ偏光光であり、さらに前記Ｒ光反射ダイクロイック膜は、前記Ｓ偏光の振動方向と垂直な方向の振動方向を有するＰ偏光光に関してＲ光とＧ光との境界に反射−透過境界波長を有する光学特性であることを特徴とする。
【００２０】
【発明の実施の形態】
（ゴースト光の原因の追跡）
本発明者は上記従来例に記載の投射型表示装置を鋭利研究し、上記ゴースト光を追跡してその原因を究明したので、それをここに記載する。
【００２１】
まずＲ光のゴースト像の発生から図１５を用いて説明する。図１５に記載の構成は従来例の説明に使用した図１４の光源、偏光変換装置、色分解光学系の一部の図示を省略し、Ｇ光反射ダイクロイックミラー１０６、各色光用の偏光ビームスプリッタ１０７Ｒ、１０７Ｇ、１０７Ｂ、各色光用のライトバルブ１０８Ｒ、１０８Ｇ、１０８Ｂ、１／２波長位相板１０９、１１０、色合成光学系１１１、１／４波長位相板１１２、投射光学系１１２のみを図示したものである。Ｒ光用ライトバルブ１０８Ｒを射出したＲ光のうちの変調光（Ｐ偏光光）は偏光ビームスプリッタ１０７Ｒの偏光分離面を透過して当該偏光ビームスプリッタを射出し、１／２波長位相板１１０にてＳ偏光光に変換されてクロスダイクロイックプリズム１１１に入射する。クロスダイクロイックプリズムに入射した前記Ｓ偏光光は、クロスダイクロイックプリズム中のＲ光反射ダイクロイック膜１１１Ｒにて反射されて進行して射出され、１／４波長位相板１１２にて円偏光光に変換されて投射光学系１１３に入射する。ここで、投射光学系に入射したＲ光のうち、投射光学系を構成するレンズ部材の表面にて反射された光は、逆行して１／４波長位相板１１２を再度透過することによって、Ｐ偏光光に変換されてクロスダイクロイックプリズム１１１に再入射する。
【００２２】
図３はこのクロスダイクロイックプリズムの反射特性の偏光方向依存性を示したものである。図３（Ａ）がＲ光反射ダイクロイック膜１１１Ｒ、図３（Ｂ）がＢ光反射ダイクロイック膜１１１Ｂの反射特性であり、偏光方向（Ｐ偏光光、Ｓ偏光光）によって反射特性が異なってしまうことは避けられない。より具体的に見てみると、Ｒ光反射ダイクロイック膜の反射特性は、図３（Ａ）の様になり、Ｓ偏光光としてＲ光反射ダイクロイック膜を反射するＲ光の反射−透過境界波長λＲＳと、Ｐ偏光光としてＲ光反射ダイクロイック膜を反射するＲ光の反射−透過境界波長λＲＰは異なり、Ｓ偏光光はＰ偏光光よりも短い波長側に境界がある。従って、前述のようにＳ偏光光としてＲ光反射ダイクロイック膜を反射したＲ光が、投射光学系のレンズの表面を反射して前述の経路でクロスダイクロイックプリズムにＰ偏光として再入射するので、Ｐ偏光光の反射−透過境界波長λＲＰより短い波長の光は、
実質的にＲ光反射ダイクロイック膜を透過する。この光はＰ偏光光のままＧ光用偏光ビームスプリッタ１０７Ｇに入射し、更にＧ光用ライトバルブ１０８Ｇで変調されなかった成分はＰ偏光光としてクロスダイクロイックプリズム１１１に再入射し、Ｒ光反射ダイクロイック膜１１１ＲとＢ光反射ダイクロイック膜１１１Ｂを透過して進行し、ゴースト光として投射されることになる。ライトバルブ　１０８Ｒを出てゴーストとなる光の経路を図１５に破線で示した。
【００２３】
次にＢ光のゴーストについて説明する。Ｂ光用ライトバルブ１０８Ｂを射出したＢ光のうちの変調光（Ｐ偏光光）は偏光ビームスプリッタ１０７Ｂに入射して偏光分離面を透過して当該偏光ビームスプリッタを射出し、１／２波長位相板１０９にてＳ偏光光に変換されてクロスダイクロイックプリズム１１１に入射する。クロスダイクロイックプリズムに入射した前記Ｓ偏光光は、クロスダイクロイックプリズム中のＢ光反射ダイクロイック膜１１１Ｂにて反射されて進行して射出され、１／４波長位相板１１２にて円偏光に変換されて投射光学系１１３に入射する。ここで、投射光学系に入射したＢ光のうち、投射光学系を構成するレンズ部材の表面にて反射されたＢ光は、逆行して１／４波長位相板１１２を再度透過することによって、Ｐ偏光光に変換されてクロスダイクロイックプリズム１１１に再入射する。Ｂ光反射ダイクロイック膜の反射特性は、図３（Ｂ）の様になり、Ｓ偏光光としてＢ光反射ダイクロイック膜を反射するＢ光の反射−透過境界波長λＢＳと、Ｐ偏光光としてＢ光反射ダイクロイック膜を反射するＢ光の反射−透過境界波長λＢＰは異なり、Ｐ偏光光はＳ偏光光よりも短い波長側に境界がある。
【００２４】
従って、前述のようにＳ偏光光としてＢ光反射ダイクロイック膜を反射したＢ光が、投射光学系を反射して前述の経路でクロスダイクロイックプリズムにＰ偏光として再入射するので、光学特性図３（Ｂ）のＰ偏光光の反射−透過境界波長λＢＰよりも長い波長の光は、Ｂ光反射ダイクロイック膜を実質的に透過する。この光はＰ偏光光のままＧ光用偏光ビームスプリッタ１０７Ｇに入射し、更にＧ光用ライトバルブ１０８Ｇで変調されなかった成分はＰ偏光光としてクロスダイクロイックプリズム１１１に再入射し、Ｒ光反射ダイクロイック膜１１１ＲとＢ光反射ダイクロイック膜１１１Ｂを透過して進行し、ゴースト光として投射されることになる。
【００２５】
さらに、Ｇ光についてもゴースト光となることを発見した。Ｇ光用ライトバルブ１０８Ｒを射出したＧ光のうちの変調光（Ｐ偏光光）は偏光ビームスプリッタ１０７Ｇに入射して偏光分離面を透過し、当該偏光ビームスプリッタを射出してクロスダイクロイックプリズム１１１に入射する。クロスダイクロイックプリズムに入射した前記Ｐ偏光光は、クロスダイクロイックプリズム中のＲ光反射ダイクロイック膜１１１ＲとＢ光反射ダイクロイック膜１１１Ｂを透過して、１／４波長位相板１１２に入射し、円偏光に変換されて投射光学系１１３に入射する。ここで、投射光学系に入射したＧ光のうち、投射光学系を構成するレンズ部材の表面にて反射された光は、逆行して１／４波長位相板１１２を再度透過することによって、Ｓ偏光光に変換されてクロスダイクロイックプリズム１１１に再入射する。
【００２６】
Ｒ光反射ダイクロイック膜、及びＢ光反射ダイクロイック膜の反射特性は、図３（Ａ）（ｂ）の様になり、Ｐ偏光光としてＲ光反射ダイクロイック膜、Ｂ光反射ダイクロイック膜を透過するＧ光の反射−透過境界波長と、Ｓ偏光光としてＲ光反射ダイクロイック膜、Ｂ光反射ダイクロイック膜を透過するＧ光の反射−透過境界波長は異なり、Ｓ偏光光はＰ偏光光よりも透過される波長域が狭い。従って、前述のようにＰ偏光光としてＲ光反射ダイクロイック膜、Ｂ光反射ダイクロイック膜を透過したＧ光が、投射光学系を構成するレンズ部材を反射して前述の経路でクロスダイクロイックプリズムに再入射し、Ｓ偏光光としてＲ光反射ダイクロイック膜・Ｂ光反射ダイクロイック膜を透過するとき、Ｇ光成分のうち長波長側の、Ｒ光反射ダイクロイック膜の光学特性図３（Ａ）のＳ偏光光の反射−透過境界波長よりも長い
波長の光は、実質的にＲ光反射ダイクロイック膜を反射する。この光は１／２波長位相板１１０を通りＰ偏光光となってＲ光用偏光ビームスプリッタ１０７Ｒに入射し、更にＲ光用ライトバルブ１０８Ｒで変調されなかった成分はＰ偏光として戻り、前記１／２波長位相板再入射してＳ偏光光のＧ光としてクロスダイクロイックプリズム１１１に再入射し、Ｒ光反射ダイクロイック膜１１１Ｒを反射して進行し、ゴースト光として投射されることになる。
【００２７】
また、Ｇ光成分のうち短波長側の、Ｂ光反射ダイクロイック膜の光学特性図３（Ｂ）のＳ偏光光の反射−透過境界波長よりも短い波長の光は、実質的にＢ光反射ダイクロイック膜を反射し、この光は１／２波長位相板１０９を通りＰ偏光光となってＢ光用偏光ビームスプリッタ１０７Ｂに入射し、更にＢ光用ライトバルブ１０８Ｂで変調されなかった成分はＰ偏光として戻り、前記１／２波長位相板再入射してＳ偏光光のＢ光としてクロスダイクロイックプリズム１１１に再入射し、Ｂ光反射ダイクロイック膜１１１Ｒを反射して進行し、ゴースト光として投射されることになる。
【００２８】
（第１の実施形態）
上記の問題を解決するため、第１の実施形態では、クロスダイクロイックプリズムと偏光ビームスプリッタとの間に表面にダイクロイック膜を形成したダイクロイックミラーを設けた。
【００２９】
図１に第１の実施形態を説明する投射型表示装置の構成図を示す。図中に示すように互いに直交するＸ軸、Ｙ軸、Ｚ軸を定義する。なお、Ｚ軸は紙面に垂直な方向を示す。光源から色分解光学系までは符号以外は図１４の説明と同様なので省く。
【００３０】
色分解されたＲ光と、Ｇ光は各色用にそれぞれ偏光分離面をＸＹ平面に垂直に配置した偏光ビームスプリッタ１７Ｒ、同１７Ｇに入射する。各色光用のライトバルブに入射した各色光は、各色信号によって変調作用を受けて各色光用のライトバルブから変調光たるＰ偏光と非変調光たるＳ偏光の混合光として反射、射出されて再度各色光用の偏光ビームスプリッタに入射し、偏光分離面を透過する光として変調光（Ｐ偏光光）のみを検光して取り出す。非変調光（Ｓ偏光光）は偏光分離面にて反射されて、光源方向に廃棄される。
【００３１】
前記検光された各色光のうちＲ光とＢ光は、それぞれ光軸に対して所定の角度を有して斜めに配置されている、表面にダイクロイック膜を形成したダイクロイックミラー２１Ｒ、同ミラー２１Ｂを透過し、それぞれ１／２波長位相板２０、同１９を経てＳ偏光光に変換され、合成光学系を構成するクロスダイクロイックプリズム２２に、各々相対する異なる入射面から入射する。ダイクロイックミラー２１Ｒは図４の（Ａ）の光学特性を有するため、Ｒ光成分の透過に支障をきたさない。また、ダイクロイックミラー２１Ｂは図４の（Ｂ）の光学特性を有するため、Ｂ光成分の透過に支障をきたさない。
【００３２】
また、前記検光された各色光のうちＧ光用は、前記ダイクロイックミラー２１Ｂ，２１Ｒと同様に光軸に対して所定の角度を有して斜めに配置された表面にダイクロイック膜を形成したダイクロイックミラー２１Ｇを透過して、Ｐ偏光光のままクロスダイクロイックプリズム２２に入射する。ダイクロイックミラー２１Ｇは図４の（Ｃ）の光学特性を有するため、Ｇ光成分の透過に支障をきたさない。なお、図４における光学特性図で実線はＰ偏光光に対する特性を、点線はＳ偏光光に対する特性を示している。
【００３３】
色合成光学系を構成するクロスダイクロイックプリズム２２は従来例と同様に、内部にＲ光を反射する特性を有するクロスダイクロイック膜２２ＲとＢ光を反射する特性を有するダイクロイック膜２２Ｂが互いに直交するようにＸ型に、かつ、それぞれがＸＹ平面に垂直に配置されている。また、ダイクロイック膜２２Ｒとダイクロイック膜２２Ｂの光学特性も従来例にて説明した図３（Ａ）、同図（Ｂ）に示すクロスダイクロイック膜１１１Ｒと１１１Ｂと同じ特性を有している。
【００３４】
クロスダイクロイックプリズム２２に入射したＳ偏光光のＢ光は前記Ｂ光反射ダイクロイック膜２２Ｂにて実質的に反射、前記当該プリズムに入射したＳ偏光のＲ光は前記Ｒ光反射ダイクロイック膜２２Ｒにて実質的に反射、前記当該プリズムに入射したＰ偏光のＧ光は前記Ｂ光反射ダイクロイック膜２２ＢとＲ光反射ダイクロイック膜２２Ｒを実質的に透過することによりＢ光、Ｒ光、Ｇ光の色合成が達成されてクロスダイクロイックプリズム２２から合成光として射出される。　前記クロスダイクロイックプリズム２２から射出された合成光はＳ偏光光たるＲ光とＢ光、Ｐ偏光光たるＧ光のそれぞれの振動方向と光学軸が４５度をなすように配置した１／４波長位相板１１２を経て各色光とも円偏光に変換されて進行し、投射光学系１１３に入射して図示しないスクリーン上に投射される。
【００３５】
図２は前述の各色光用の偏光ビームスプリッタ１７Ｒ、１７Ｇ、１７Ｂ、ライトバルブ１８Ｒ、１８Ｇ、１８Ｂ、クロスダイクロイックプリズム２２、ダイクロイックミラー２１Ｒ、２１Ｇ、２２Ｂ、１／２波長位相板１９、２０の立体配置を説明する斜視構成図である。
【００３６】
（ゴースト光の原因の追跡）で説明したように、投射光学系に入射した前記円偏光の合成光の一部は投射光学系２４を構成するレンズ部材の表面にて反射され逆行して進行し、１／４波長位相板２３を経由してＲ光ゴースト成分とＢ光ゴースト成分はＰ偏光に、Ｇ光ゴースト成分はＳ偏光に変換されて、これらの合成光としてクロスダイクロイックプリズム２２に前述の射出面から入射する。
【００３７】
クロスダイクロイックプリズム２２に逆側から入射したＰ偏光光であるＲ光成分のうちクロスダイクロイックプリズムのＲ光反射膜の光学特性図３（Ａ）に基づいて透過してしまうＲ光ゴースト成分は２枚のクロスダイクロイック膜を透過してＧ光の光路に進入するが、クロスダイクロイックプリズムとＧ光用偏光ビームスプリッタの間に配置された図４の（Ｃ）の光学特性をもつダイクロイックミラー２１Ｇによって反射される。前記ダイクロイック膜は前述のように光軸に対して所定の角度を有して斜めに配置されているので、反射された光は光路外に廃棄される。
クロスダイクロイックプリズム２２に逆側から入射したＰ偏光光であるＢ光成分のうちクロスダイクロイックプリズムのＢ光反射膜２２Ｂの光学特性図３（Ａ）に基づいて透過してしまうＢ光ゴースト成分も同様に２枚のクロスダイクロイック膜２２Ｒ、２２Ｂを透過してＧ光の光路に進入するが、クロスダイクロイックプリズム２２とＧ光用偏光ビームスプリッタ１７Ｇの間に配置された図４の（Ｃ）の光学特性をもつダイクロイックミラー２１Ｇによって反射され、前述のＲ光ゴースト成分と同様に光路外に廃棄される。
また、クロスダイクロイックプリズム２２に逆側から入射したＳ偏光光であるＧ光成分のうち、クロスダイクロイックプリズム２２のＲ光反射膜２２Ｒの光学特性図３（Ａ）に基づいて反射されてしまうＳ偏光光のＧ光ゴースト成分は、Ｒ光光路に進入し、１／２波長位相板を経由してＰ偏光光となり、当該１／２波長位相板とＲ光用ビームスプリッタの間に、ダイクロイック膜２１Ｇと同様に光軸に対して所定の角度を有して斜めに配置された図４（Ａ）の光学特性を有するダイクロイックミラー２１Ｒによって反射され、光路外に廃棄される。
クロスダイクロイックプリズム２２に逆側から入射したＳ偏光光であるＧ光成分のうち、クロスダイクロイックプリズムのＢ光反射膜２２Ｂの光学特性図３（Ｂ）に基づいて反射されてしまうＳ偏光光のＧ光ゴースト成分も、Ｂ光光路に進入し、１／２波長位相板を経由してＰ偏光光となり、当該１／２波長位相板とＢ光用ビームスプリッタの間に、ダイクロイックミラー２１Ｇ、２１Ｒと同様に光軸に対して所定の角度を有して斜めに配置された図４（Ａ）の光学特性を有するダイクロイックミラー２１Ｂによって反射され、光路外に廃棄される。
【００３８】
以上説明のように、本実施形態においては投射光学系２４を構成するレンズ部材の表面を反射して光路を逆行した光のうち、クロスダイクロイックプリズム２２の２枚のダイクロイック膜２２Ｒ、２２Ｂの偏光方向による光学特性の違いによってクロスダイクロイックプリズムの２枚のダイクロイック膜２２Ｒ、２２Ｂを透過したＲ光、Ｂ光成分、前記２枚のダイクロイック膜のうちのいずれかを反射したＧ光成分が各光用ライトバルブを反射して投射光学系に再入射して生じるゴースト光は、各色光ごとに配置したダイクロイックミラー２１Ｒ，２１Ｂ、２１Ｇによって実質的に全て光路外に廃棄されるので、投射光学系に再入射してゴースト光となることはない。
また、従来例で述べたように、投射光学系２４を構成するレンズ部材の表面を反射して光路を逆行した光のうち、クロスダイクロイックプリズムの２枚のダイクロイック膜を透過したＧ光成分、及び前記２枚のダイクロイック膜のうちのいずれかを反射したＢ光、Ｒ光成分も全て光路外に廃棄される。従って、本実施形態においては投射光学系を構成するレンズ部材の表面から反射されて逆行する光は実質的に全て光路外に廃棄されるのでゴースト光が形成されることはない。
（第２の実施形態）
本発明の第２実施形態は第１実施形態の図１に示す投射型表示装置の構成図においてダイクロイックミラー２１Ｂ、同ミラー２１Ｒを配置せず、ダイクロイックミラー２１Ｇのみを配置した実施形態である。
【００３９】
本実施形態では、クロスダイクロイックプリズム２２のダイクロイック膜２２Ｒと同膜２２Ｂの光学特性が第１実施形態と異なる。その光学特性を図５に示す。図５（Ａ）はダイクロイック膜２２Ｒ、図５（Ｂ）はダイクロイック膜２２Ｂの光学特性を示す。それぞれ、実線はＰ偏光光に対する光学特性を、点線はＳ偏光光に対する光学特性を示している。ダイクロイック膜２２Ｒは、（Ａ）に示すように、入射するＲ光がＳ偏光の場合は反射−透過境界波長がλＲＳにあるので、実質的に反射するが、Ｐ偏光の場合は反射−透過境界波長がλＲＰにあるので、短波長側のＲ光は一部透過してしまう。Ｂ光、Ｇ光はＳ偏光であっても、Ｐ偏光であっても実質的に透過する。ダイクロイック膜２２Ｂは、（Ｂ）に示すように、入射するＢ光がＳ偏光の場合は反射−透過境界波長がλＢＳにあるので、実質的に反射するが、Ｐ偏光の場合は反射−透過境界波長がλＢＰにあるので、長波長側のＢ光が一部透過してしまう。Ｇ光、Ｒ光はＳ偏光であっても、Ｐ偏光であっても実質的に透過する。
【００４０】
上述の特性を有するダイクロイック膜２２Ｒと同膜２２Ｂを色合成光学系に使用すると、ゴースト光の原因となる前述の投射光学系を構成するレンズ部材からの反射光であって１／４波長位相板２３を経た合成光（Ｒ光とＢ光はＰ偏光、Ｇ光はＳ偏光）のうち、Ｇ光は実質的に両ダイクロイック膜を透過し、図４（Ｃ）に示す光学特性を有するダイクロイックミラー２１Ｇを透過して進行、偏光ビームスプリッタ１７Ｇに入射し、偏光分離面によって光路外に反射されて廃棄される。図５（Ａ）、（Ｂ）の光学特性に基づいて、前記Ｇ光成分は実質的に全て透過するので、クロスダイクロイックプリズムの２枚のダイクロイック膜２２Ｒ、２２Ｂのいずれかで反射され、Ｂ光またはＲ光の光路に進入してＢまたはＲ色光用ライトバルブ１８Ｒ、１８Ｂを反射して投射されるゴースト成分はない。
一方、Ｒ光とＢ光は各々、図５（Ａ）のＰ偏光光学特性および図５（Ｂ）のＰ偏光光学特性に基づいて、ダイクロイック膜２２Ｒ、２２Ｂを一部透過してＧ光の光路に進入する。この光は、ダイクロイックミラー２１Ｇに入射し、ダイクロイックミラー２１Ｇの光学特性図４（Ｃ）に基づいて当該ミラーによって実質的に反射されて光路外に廃棄される。ダイクロイック膜２２Ｒ、２２Ｂを反射するＲ光、Ｂ光ははそれぞれ１／２波長位相板２０、１９にてＳ偏光に変換されて偏光ビームスプリッタ１７Ｒ、同１７Ｂに入射し、偏光分離面にて反射されて光路外へ廃棄される。従って、本実施形態においても投射光学系２４を構成するレンズ部材の表面から反射されて逆行する光は実質的に全て光路外に廃棄されるのでゴースト光が形成されることはない。
（第３の実施形態）
本発明の第２実施形態は第１実施形態の図１に示す投射型表示装置の構成図においてダイクロイックミラー２１Ｇは配置せず、ダイクロイックミラー２１Ｂ、同ミラー２１Ｒのみのの配置とする実施形態である。
【００４１】
本実施形態では、クロスダイクロイックプリズム２２のダイクロイック膜２２Ｒと同膜２２Ｂは図６の光学特性を有する。図６の（Ａ）はダイクロイック膜２２Ｒ、（Ｂ）はダイクロイック膜２２Ｂの光学特性を示す。（Ａ）に示すようにダイクロイック膜２２Ｒは入射するＲ光がＳ偏光光であってもＰ偏光光であっても実質的に反射する。Ｂ光についてもＳ偏光光であってもＰ偏光光であっても実質的に透過する。Ｇ光についてはＰ偏光光は反射−透過境界波長がλＲＰにあるので、実質的に透過するが、Ｓ偏光光については反射−透過境界波長がλＲＳにあるので、長波長側のＧ光が一部反射してしまう。また、（Ｂ）に示すようにダイクロイック膜２２Ｂは入射するＢ光がＳ偏光光であってもＰ偏光光であっても実質的に反射する。Ｒ光はＳ偏光光であっても、Ｐ偏光光であっても実質的に透過する。Ｇ光については反射−透過境界波長がλＢＰにあるので、Ｐ偏光光は実質的に透過するが、Ｓ偏光光については反射−透過境界波長がλＢＳにあるので、短波長側のＧ光が一部反射してしまう。
【００４２】
上述の特性を有するダイクロイック膜２２Ｒと同膜２２Ｂを色合成光学系に使用すると、ゴースト光の原因となる投射光学系からの反射光（Ｒ光とＢ光はＰ偏光、Ｇ光はＳ偏光）のうちのＲ光とＢ光は実質的に全て２つのダイクロイック膜２２Ｒ、２２Ｂいずれかで反射し、１／２波長位相板２０、同板１９にてそれぞれＳ偏光に変換されて偏光ビームスプリッタ１７Ｒ、同１７Ｂに入射し、図４（Ａ）、同図（Ｂ）に示す光学特性を有するダイクロイックミラー２１Ｒ、同ミラー２１Ｂにそれぞれ入射し、実質的に全て透過して進行し、従来例で説明したように、偏光分離面によって反射されて光路から廃棄されるのでゴースト光とはならない。また、図６（Ａ）、（Ｂ）の光学特性に基づいて、前記Ｒ光とＢ光の成分はダイクロイック膜２２Ｒと２２Ｂとを実質的に全て反射するので、クロスダイクロイックプリズムの２枚のダイクロイック膜２２Ｒ、２２Ｂを透過し、Ｇ光の光路に進入してＧ色光用ライトバルブ１８Ｇを反射して投射されるゴースト成分はない。一方、Ｇ光は、図６（Ａ）、（Ｂ）に基づいて、長波長成分の一部はダイクロイック膜２２Ｒで、短波長成分の一部は２２Ｂで反射されてそれぞれＲ光の光路、Ｂ光の光路に進入し、ダイクロイックミラー２１Ｒ、２１Ｂに入射し、当該ダイクロイックミラーの光学特性図３（Ａ）、（Ｂ）に基づいて、実質的に反射されて光路外に廃棄される。ダイクロイック膜２２Ｒ、２２Ｂを透過するＧ光が偏光ビームスプリッタ１７Ｇに入射、偏光分離面にて反射されて光路外へ廃棄されるのは従来例で説明の通りである。以上により、投射光学系を構成するレンズ部材の表面から反射されて逆行する光は光路外に廃棄されるのでゴースト光を形成することはない。
【００４３】
この実施形態では、ダイクロイック膜２２Ｒと２２Ｂとに図６Ａ，Ｂに示すような光学特性を有する膜を使用し、更に、投射光学系のレンズ表面で反射したＧ光がＲ光光路およびＢ光光路を経由してゴースト成分となるのを防ぐためにＲ光光路中およびＢ光光路中にそれぞれダイクロイックミラー２１Ｒと２１Ｂを配置した。しかし、人間の眼の色光に対する感度は赤に対して最も大きく、緑、青については小さいため、簡易的に投射光学系からの赤光の反射に由来するゴーストを防止するのみの構成であってもゴースト光防止効果は大きい。従って、ダイクロイックミラー２１Ｒ、２１Ｂを配置せず、ダイクロイック膜２２Ｒと２２Ｂとに、図６Ａ、Ｂに示すような光学特性を有する膜を使用する構成、あるいはダイクロイック膜２２Ｒに図６Ａの光学特性を有する膜を使用する構成のみであってもよい。この場合は、クロスダイクロイックプリズムと偏光ビームスプリッタとのあいだにダイクロイックミラーを配置する必要がないため、装置構成の簡易化を図ることができる。
【００４４】
以上第１、第２、第３実施形態にて説明のように、色合成を行うクロスダイクロイックプリズム２２のダイクロイック膜２２Ｒとダイクロイック膜２２Ｂの光学特性によって、各色光用の偏光ビームスプリッタ１７Ｒ、１７Ｇ、１７Ｂとクロスダイクロイックプリズム２２間の光路中に光軸に対して斜めの角度で配置されるダイクロイックミラーは各色光路毎にその有無が決定され、その配置方法は上記第１から第３の実施形態の配置法に限定されないことは言うまでもない。さらに、上記実施形態では、ダイクロイックミラー２１Ｒ、２１Ｇ、２１Ｂは図２に示すようにゴーストの原因となる光が廃棄される方向が−Ｚ方向に廃棄されるように配置されているが、この配置方向も光路外に廃棄できればよく、開示の方向に限定されないこともいうまでもない。
（第４の実施形態）
本実施形態の投射型表示装置を図７、図８を用いて説明する。本実施形態では、第１から第３の実施形態のダイクロイックミラー２１Ｒ、２１Ｇ、２１Ｂと同等の機能を、各偏光ビームスプリッタの偏光分離面に相対して形成したダイクロイック膜２８Ｒ、２８Ｇ、２８Ｂに持たせたものである。
図７における投射型表示装置を構成する部材であって、図１のそれと同じ部材については同じ部番を記載し、その機能等の説明は同じであるので省略する。
【００４５】
図８は、本実施形態における偏光ビームスプリッタ２７Ｒ、２７Ｇ、２７Ｂの構成を説明する図である。本実施形態にて使用する偏光ビームスプリッタ２７Ｇ、２７Ｒ、２７Ｂは、三角プリズム２７Ｇ−Ａ、２７Ｒ−Ａ、２７Ｂ−Ａの底面に偏光分離膜を形成し、同プリズム２７Ｇ−Ｂ、２７Ｒ−Ｂ、２７−Ｂの底面にダイクロイック膜２８Ｇ、２８Ｒ、２８Ｂをそれぞれ形成し、両膜を接着材層にて接着された構成となっている。図８に示すように、各色用ライトバルブ１８Ｇ、１８Ｒ、１８Ｂは前記偏光ビームスプリッタを構成するプリズム２７Ｇ−Ａ、２７Ｒ−Ａ、２７Ｂ−Ａ側に配置される。前記各色用ライトバルブ１８Ｇ、１８Ｒ、１８Ｂから射出された各色光はまず、前記偏光ビームスプリッタの前記偏光分離面入射して各色光を検光し、当該透過検光光がダイクロイック膜２８Ｇ、２８Ｒ、２８Ｂを透過して色合成用のクロスダイクロイックプリズム２２へ進行する。従って、投射光学系から反射して偏光ビームスプリッタ２７Ｇ、２７Ｒ、２７Ｂに入射するゴースト光成分はまず、ダイクロイック膜２８Ｇ、２８Ｒ、２８Ｂに入射することになる。
【００４６】
まず、第１の実施形態にて説明のクロスダイクロイックプリズム２２中のダイクロイック膜２２Ｒ、２２Ｂがそれぞれ図３の（Ａ）、（Ｂ）に示す光学特性を有する場合について説明する。偏光ビームスプリッタ２７Ｒ、２７Ｂ、２７Ｇ中に形成するダイクロイック膜２８Ｒ、２８Ｂ、２８Ｇは実質的にそれぞれ図４（Ａ）、（Ｂ）、（Ｃ）と同じ光学特性を有するが、一般にミラー上に形成したダイクロイック膜とプリズム内に形成したダイクロイック膜ではその光学特性に違いが生じ、プリズム内に形成したダイクロイック膜のＰ偏光とＳ偏光の反射−透過特性の境界波長の差は前実施形態のミラー上に形成する場合と比較して大となる。従って、偏光ビームスプリッタの内部に配置したダイクロイック膜２８Ｒの光学特性は前記Ｒ光ダイクロイックミラーの光学特性と比較して、Ｐ偏光に対する反射−透過特性の境界波長はＧ光とＲ光の境界と一致することは同様であるが、Ｓ偏光の反射−透過境界波長は前記Ｒ光用ダイクロイックミラーの前記境界波長よりも長波長側にシフトする。また、偏光ビームスプリッタの内部に配置したダイクロイック膜２８Ｂの光学特性も、Ｐ偏光に対する反射−透過特性の境界波長がＢ光とＧ光の境界波長と一致するが、Ｓ偏光の反射−透過境界波長はＢ光用ダイクロイックミラーよりも短波長側にシフトする。同様に、偏光ビームスプリッタの内部に配置したダイクロイック膜２８Ｇの光学特性も、Ｐ偏光に対する反射−透過特性の境界波長は、短波長側がＢ光とＧ光の境界波長、長波長側がＧ光とＲ光の境界波長と一致するが、Ｓ偏光の反射−透過境界波長はＧ光用ダイクロイックミラーの境界波長よりも長波長側はより長波長側に、短波長側は短波長側にシフトすることになる。しかしながら、前述のようにＰ偏光の反射−透過境界を色光の境界に一致させるように調整するので、この差は問題とならない。
投射光学系２４を構成するレンズ部材の表面にて反射され逆行して進行し、１／４波長位相板２３を経てクロスダイクロイックプリズム２２に入射した光のうち、Ｐ偏光であるＲ光、Ｂ光のうちの一部は、ダイクロイック膜２２Ｒ、２２Ｂの図３（Ａ）、（Ｂ）Ｐ偏光光学特性に基づいて前記２枚のダイクロイック膜２２Ｒ、２２Ｂを透過して進行し、Ｇ光の光路に進入して、偏光ビームスプリッタ２７Ｇのダイクロイック膜２８Ｇに入射するが、当該ダイクロイック膜光学特性図５（Ｃ）に基づいて実質的に反射され、光路外に廃棄される。
一方、Ｓ偏光であるＧ光はクロスダイクロイックプリズム２２のダイクロイック膜２２Ｒ、２２Ｂの図３（Ａ）（Ｂ）のＳ偏光光学特性によってそれぞれ一部が反射されて進行し、Ｒ光の光路、及びＢ光の光路に進入し、偏光ビームスプリッタ２７Ｒ、２７Ｂのダイクロイック膜２８Ｒ、２８Ｂに入射するが、当該ダイクロイック膜の光学特性図５（Ａ）、（Ｂ）に基づいてそれぞれ実質的に反射されて光路外へ廃棄される。
【００４７】
また、投射光学系２４を構成するレンズ部材の表面にて反射され逆行して進行し、１／４波長位相板２３を経てクロスダイクロイックプリズム２２に入射した光のうち、各色光に対応した光路を遡る色光についても従来例と同様に光路外に廃棄される。従って、投射光学系２４からの反射光によってゴースト光を発生することはない。
【００４８】
以下、実施形態２、３についても、それぞれの実施形態で用いた２枚のクロスダイクロイック膜の光学特性、及びダイクロイックミラーの各色光ごとの配置の有無は、同様のまま、ダイクロイックミラーの機能を前記偏光ビームスプリッタに置きかえることによって同様の効果を得ることができる。以上の説明のように、本実施形態によっても、投射光学系を構成するレンズ部材によって反射されて逆行して進行する光は、偏光ビームスプリッタ２７Ｇ、２７Ｒ、２７Ｂ中にダイクロイック膜２８Ｇ、２８Ｒ、２８Ｂを適宜形成することによって光路外に廃棄され、ゴースト光となって投射されることはない。
（第５の実施形態）
図９には第５の実施形態を示す投射型表示装置の構成を示す。なお、図示のように互いに直交するＸ軸、Ｙ軸、Ｚ軸を定義する。光源３１より射出された略平行光束の光源光は偏光変換装置３２によってＸ軸に平行な振動方向を有するＰ偏光光に変換される。前記Ｐ偏光光の光源光はダイクロイックミラー３２によって反射するＧ光と、透過するＲ光とＢ光の合成光とに色分解される。前記Ｇ光は１／２波長位相板３４を経由して振動方向を紙面と垂直なＺ軸と平行な方向に振動するＳ偏光光に変換され、偏光ビームスプリッタ３６Ｇに入射して、偏光分離面で反射され、Ｇ光用の反射型ライトバルブ３７に入射して色信号によって変調作用を受けて反射射出され、前記偏光ビームスプリッタ３６Ｇで検光される。本実施形態ではＧ光用ライトバルブの変調光はＰ偏光光である。
【００４９】
前記Ｒ光とＢ光の混合光は、Ｒ光のみの振動方向をＺ軸方向のＳ偏光光に変換する偏光回転素子３５を経由してＲ光をＳ偏光に変換、Ｂ光はＰ偏光光のままで、偏光ビームスプリッタ３６ＲＢに入射し、偏光分離面を反射するＲ光と、偏光分離面を透過するＢ光とに色分解される。
【００５０】
前記色分解されたＲ光とＢ光はそれぞれ各色光毎に配置された反射型ライトバルブ３７Ｒ、３７Ｂに入射する。各色光用のライトバルブに入射したそれぞれの色光は色信号によって変調作用を受けて反射射出される。本実施形態の場合Ｒ光用ライトバルブとＧ光用ライトバルブの変調光はＰ偏光光であり、当該偏光光たるＰ偏光光と非変調光たるＳ偏光光の混合光を各ライトバルブから射出する。Ｂ光用のライトバルブは変調光たるＳ偏光光と非変調光たるＰ偏光光の混合光を射出する。従って、Ｂ光用ライトバルブを射出した変調光、及びＲ光用ライトバルブを射出した変調光はそれぞれ異なる入射面から偏光ビームスプリッタ３６Ｇに入射し、Ｂ光は偏光分離面を反射することによって、Ｒ光は偏光分離面を透過することによって検光される。
【００５１】
一方、前記Ｇ光の検光光は色合成を行うダイクロイックプリズム３９に入射する。前記Ｒ光とＢ光の検光光はその特性は後述される本発明に係る表面にダイクロイック膜を形成したダイクロイックミラー３８に入射し、図１２に示す光学特性を有する当該ミラー３８を透過して進行し前記ダイクロイックプリズム３９に入射する。当該ミラー３８は光軸に対して所定の角度を有し斜めに配置されている。
【００５２】
色合成を行うダイクロイックプリズム３９は内部にダイクロイック膜３９Ｄを有している。当該ダイクロイック膜３９Ｄの光学特性を図１０に示す。
前記ダイクロイックプリズム３９に入射したＰ偏光のＧ光は図１０に示す光学特性に基づいて実質的に当該膜３９Ｄを透過する。同プリズム３９に入射したＰ偏光光のＲ光とＳ偏光光のＢ光はダイクロイック膜３９Ｄで実質的に反射されて、前記Ｇ光と色合成されて射出される。
【００５３】
前記ダイクロイックプリズム３９を射出したＲ光、Ｇ光、Ｂ光の色合成光は１／４波長位相板４０に入射して円偏光に変換されて進行し、投射光学系４１に入射され、図示しないスクリーンに投射される。ここで、投射光学系４１を構成するレンズ部材の表面にて反射されて逆行して進行する光（点線にて図示）は１／４波長位相板４０によって、Ｒ光、Ｇ光はＳ偏光光に、Ｂ光はＰ偏光光に変換されて進行し前記色合成のダイクロイックプリズム３９に逆側から再入射する。
前記色合成のダイクロイックプリズム３９に再入射した光のうち、Ｓ偏光光たるＧ光は前記ダイクロイック膜３９Ｄに入射し、当該偏光分離面のＳ偏光光学特性図１０に基づいて短波長側と長波長側の光の一部が反射されて、前記ダイクロイックミラー３８に入射し、当該ダイクロイックミラー３８のＳ偏光光光学特性に基づいて、実質的に反射されて光路外に廃棄される。
前記ダイクロイクミラー３８が配置されていない場合、前記ダイクロイック膜３９Ｄを反射したＧ光成分は偏光ビームスプリッタ３６ＲＢに入射、偏光分離面で反射されて、Ｂ光用ライトバルブ３７に入射し、反射されて、前記Ｇ光成分のうち非変調光が偏光ビームスプリッタ３６ＲＢ、ダイクロイックプリズム３９を経て投射光学系４１に戻り、Ｇ光のゴースト光が投射されることになる。
【００５４】
上記の説明では図１０の光学特性を有するダイクロイックプリズム３９を使用したが、この光学特性は例えば図１１に示すような特性を有している場合も考えられる。図１１の特性を有するダイクロイックプリズム３９を使用した場合には前述の投射光学系から反射されて逆行して進行し前記ダイクロイックプリズム３９に入射する光であるＳ偏光光のＲ光、Ｇ光、Ｐ偏光光のＢ光のうち、図１１の光学特性に基づいて、Ｇ光の長波長側の一部が前記ダイクロイック膜３９Ｄに反射され、Ｂ光の長波長側の一部の光が同膜３９Ｄを透過してしまうことになる。このうち、前記Ｇ光はダイクロイックミラー３８で反射され、光路外に廃棄されるが、前記Ｂ光は偏光ビームスプリッタ３６Ｇを経てライトバルブ３７Ｇで反射されて投射光学系に再入射し、ゴースト光となってしまう。このゴースト光の原因となる光を光路外に廃棄するため、偏光ビームスプリッタ３６Ｇとダイクロイックプリズム３９の間の光路中に図１３に示す特性を有するダイクロイックミラーを光軸に対して斜めに配置し、当該ミラーに入射した前記Ｂ光を反射させて光路外に廃棄する構成にする。なお、本ミラーの代わりに図１１と同様の特性を有するダイクロイック膜を図８に示すように偏光ビームスプリッタ３６の偏光分離面と相対する位置に形成することにより、当該Ｂ光を光路外に廃棄することも可能なことはいうまでもない。
【００５５】
【本発明の効果】
このように、本発明によれば、複数の反射型ライトバルブから射出された各色光を各色光毎に配置された偏光ビームスプリッタにて変調光を検光して取り出し、ダイクロイック膜を有する色合成光学系にて合成し、当該合成光を投射光学系にて投射する構成の投射型表示装置であって、当該投射型表示装置は前記色合成光学系と投射光学系との間の光路中に配置した１／４波長位相板を有する投射型表示装置において、前記投射光学系を構成するレンズ部材から反射され前記色合成光学系に再入射して各色光用の光路を逆行した光が、色合成光学系の有するダイクロイック膜の偏光方向による光学特性の違いのために前記ダイクロイック膜によって順方向とは異なる色成分に色分解されて、対応する色光と異なる他色光の光路に進行し、当該光が異なる他色光用のライトバルブで反射され、再度前記色合成光を経て投射光学系に入射することによってゴースト光として投射されるのを、光軸に対して斜めに配置された所定の光学特性を持つダイクロイックミラーを前記色合成光学系と前記各色光用の偏光ビームスプリッタの偏光分離面との間の光路中に配置して、前記ゴースト光になりうる光の成分を反射させて光路外に廃棄することによって防止するので、コントラストの良好な投射像を投射することが可能となる。
【図面の簡単な説明】
【図１】本発明の第１実施形態を説明する投射型表示装置の構成図。
【図２】本発明の第１実施形態の投射型表示装置の主要部を説明する斜視構成図。
【図３】本発明の第１実施形態の投射型表示装置にて色合成光学系として使用するクロスダイクロイックプリズム中の２枚のダイクロイック膜の光学特性を説明する図。
【図４】本発明の第１〜第４の実施形態の投射型表示装置において使用するダイクロイックミラーの光学特性を説明する図。
【図５】本発明の第２実施形態の投射型表示装置にて色合成光学系として使用するクロスダイクロイックプリズム中の２枚のダイクロイック膜の光学特性を説明する図。
【図６】本発明の第３実施形態の投射型表示装置にて色合成光学系として使用するクロスダイクロイックプリズム中の２枚のダイクロイック膜の光学特性を説明する図。
【図７】本発明の第４実施形態を説明する投射型表示装置の構成図。
【図８】本発明の第４実施形態の投射型標示装置にて使用する偏光ビームスプリッタの構成図。
【図９】本発明の第５の実施形態の投射型標示装置の構成を説明する構成図。
【図１０】本発明の第５実施形態の投射型表示装置にて色合成光学系として使用するダイクロイックプリズム中のダイクロイック膜の光学特性を説明する図。
【図１１】本発明の第５実施形態の投射型表示装置にて色合成光学系として使用するダイクロイックプリズム中のダイクロイック膜の他の例の光学特性を説明する図。
【図１２】本発明の第５実施形態の投射型表示装置において使用するダイクロイックミラーの光学特性を説明する図。
【図１３】本発明の第５実施形態の投射型表示装置の他の例において使用するもう一つのダイクロイックミラーの光学特性を説明する図。
【図１４】従来例の投射型標示装置においてゴースト光の発生を説明する図。
【図１５】従来例を説明する投射型表示装置の構成図。
【符号の説明】
１１、３１、１０１・・・光源
１２、３２、１０２・・・偏光変換装置
１３、１０３・・・クロスダイクロイックミラー
１４、１５、１０５・・・折り曲げミラー
１６、３３、１０６・・・ダイクロイックミラー
１７Ｒ、１７Ｇ、１７Ｂ、２７Ｒ、２７Ｇ、２７Ｂ、３６Ｇ、３６ＢＲ、１０７Ｒ、１０７Ｇ、１０７Ｂ・・・偏光ビームスプリッタ
１８Ｒ、１８Ｇ、１８Ｂ、３７Ｒ、３７Ｇ、３７Ｂ、１０８Ｒ、１０８Ｇ、１０８Ｂ・・・反射型ライトバルブ
１９、２０、３４、１０９、１１０・・・１／２波長位相板
２１Ｒ、２１Ｇ、２１Ｂ、３８・・・ダイクロイックミラー
２２、１１１・・・クロスダイクロイックプリズム
３９・・・ダイクロイックプリズム
２２Ｒ、２２Ｂ、３９Ｄ、１１１Ｒ、１１１Ｂ・・・ダイクロイック膜
２８Ｒ、２８Ｇ、２８Ｂ・・・ダイクロイック膜
２３、１１２・・・１／４波長位相板
２４、１１３・・・投射光学系
３５・・・偏光回転素子
【図１】
2004029692.tif 000003
【図２】
2004029692.tif 000004
【図３】
2004029692.tif 000005
【図４】
2004029692.tif 000006
【図５】
2004029692.tif 000007
【図６】
2004029692.tif 000008
【図７】
2004029692.tif 000009
【図８】
2004029692.tif 000010
【図９】
2004029692.tif 000011
【図１０】
2004029692.tif 000012
【図１１】
2004029692.tif 000013
【図１２】
2004029692.tif 000014
【図１３】
2004029692.tif 000015
【図１４】
2004029692.tif 000016
【図１５】
2004029692.tif 000017